(57)【特許請求の範囲】
【請求項１】
付属モジュールと、
内部電源であるバッテリからの電力を前記付属モジュールに供給可能な第１電力供給線からの電力と、外部電源である充電装置からの電力を前記付属モジュールに供給可能な第２電力供給線からの電力と、のいずれかの電力を前記付属モジュールに供給する電力供給手段と、
前記第１電力供給線の一端部と前記第２電力供給線の一端部との間に接続され、バッテリが接続状態の場合に、ＯＮ状態に保持され、非接続状態の場合にＯＦＦ状態に保持される電界効果トランジスタと、
前記バッテリの電圧を監視し、所定の電圧以下になった場合に前記付属モジュール以外への電力供給を停止する停止制御を行う電源制御部と、を有し、
前記電源制御部により前記停止制御が行われる場合、前記バッテリからの電力が前記電界効果トランジスタを経由せずに前記第１電力供給線を介して前記付属モジュールに供給され、
前記バッテリからの電力供給又は前記充電装置の一方からの電力が低下又は停止しても、他方から付属モジュールに電力を供給可能である
携帯電子機器。
【請求項２】
前記第１電力供給線の一端と接続し、前記バッテリと接続可能な第１電源端子と、
前記第２電力供給線の一端と接続し、充電装置と接続可能な第２電源端子と、
前記第２電力供給線から、電力を受けて回路系への電力供給を制御する電力制御部と、
前記第１電源端子を介して設定される前記第１電力供給線における第１電力と、前記第２電力供給線から設定される第２電力とのうち高い電圧の電力を、電力出力部を介して前記付属モジュールに供給する電力供給手段に該当する電力供給部と、を有し、
前記電界効果トランジスタは、前記第１電力供給線の一端部と前記第２電力供給線の一端部との間に接続され、前記第１電源端子にバッテリが接続状態の場合に、ＯＮ状態に保持され、非接続状態の場合にＯＦＦ状態に保持される
請求項１に記載の携帯電子機器。
【請求項３】
前記第２電力供給線の一端部と前記第２電源端子との間に接続され、前記第２電源端子に充電装置が接続状態の場合にＯＮ状態に保持され、非接続状態の場合にＯＦＦ状態に保持されるスイッチ素子と、を有している
請求項２に記載の携帯電子機器。
【請求項４】
前記電力供給部は、
前記第１電力供給線上に配置され、アノードが前記第１電源端子に接続され、カソードが前記電力出力部に設側された第１のダイオードと、
前記第２電力供給線上に配置され、アノードが前記スイッチ素子と接続され、カソードが前記電力出力部に設側された第２のダイオードと、を含み、
前記第１のダイオード及び前記第２のダイオードのうち、少なくとも、前記第１のダイオードの順方向の電圧は、前記電界効果トランジスタの前記第１電源端子から前記第２電力供給線に向かう順方向電圧よりも低く設定されている
請求項３に記載の携帯電子機器。
【請求項５】
前記第１のダイオード及び第２のダイオードは、ショットキーバリアダイオードである
請求項４に記載の携帯電子機器。
【請求項６】
前記充電装置による充電開始を検出した場合に、前記停止制御を解除する電源制御部を有する
請求項１〜５いずれか１項に記載の携帯電子機器。
【請求項７】
非接触式ＩＣカード用のアンテナを有し、
前記付属モジュールは非接触式ＩＣカード用の回路である
請求項１〜６いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、通常使用するバッテリパックとバックアップ用バッテリを備え、バッテリパックの電源は切り替えダイオードを通じて本体電源制御部へ供給され、バッテリの電源はダイオード及び抵抗から構成される直流回路を通じて本体電源制御部へ供給される携帯電子機器が記載されている。
また、特許文献１のバッテリはバッテリパックを電源として充電装置によって充電される携帯電子機器が記載されている。
【先行技術文献】
【特許文献】
【０００３】
【特許文献１】特開平０８―１４９１８４号公報
【発明の概要】
【発明が解決しようとする課題】
【０００４】
しかしながら、引用文献１に記載の携帯電子機器においては、動作電圧の閾値が異なる複数の回路を動作させる場合に、充電可能なバッテリの装着の有無及び充電中の有無によって、当該複数の回路別に電源系を構成しなければならず回路構成が複雑になるという問題があった。
【０００５】
本発明の目的は、簡単な回路構成で、多様な回路系に必要な動作電圧が確保可能な携帯電子機器を提供することである。
【課題を解決するための手段】
【０００６】
本発明の携帯電子機器は、付属モジュールと、内部電源であるバッテリからの電力を前記付属モジュールに供給可能な第１電力供給線からの電力と、外部電源である充電装置からの電力を前記付属モジュールに供給可能な第２電力供給線からの電力と、のいずれかの電力を前記付属モジュールに供給する電力供給手段と、前記第１電力供給線の一端部と前記第２電力供給線の一端部との間に接続され、バッテリが接続状態の場合に、ＯＮ状態に保持され、非接続状態の場合にＯＦＦ状態に保持される電界効果トランジスタと、前記バッテリの電圧を監視し、所定の電圧以下になった場合に前記付属モジュール以外への電力供給を停止する停止制御を行う電源制御部と、を有し、前記電源制御部により前記停止制御が行われる場合、前記バッテリからの電力が前記電界効果トランジスタを経由せずに前記第１電力供給線を介して前記付属モジュールに供給され、
前記バッテリからの電力供給又は前記充電装置の一方からの電力が低下又は停止しても、他方から付属モジュールに電力を供給可能である。
【０００７】
好適には、前記第１電力供給線の一端と接続し、前記バッテリと接続可能な第１電源端子と、前記第２電力供給線の一端と接続し、充電装置と接続可能な第２電源端子と、前記第２電力供給線から、電力を受けて回路系への電力供給を制御する電力制御部と、前記第１電源端子を介して設定される前記第１電力供給線における第１電力と、前記第２電力供給線から設定される第２電力とのうち高い電圧の電力を、電力出力部を介して前記付属モジュールに供給する電力供給手段に該当する電力供給部と、を有し、前記電界効果トランジスタは、前記第１電力供給線の一端部と前記第２電力供給線の一端部との間に接続され、前記第１電源端子にバッテリが接続状態の場合に、ＯＮ状態に保持され、非接続状態の場合にＯＦＦ状態に保持される。
【０００８】
好適には、前記第２電力供給線の一端部と前記第２電源端子との間に接続され、前記第２電源端子に充電装置が接続状態の場合にＯＮ状態に保持され、非接続状態の場合にＯＦＦ状態に保持されるスイッチ素子と、を有している。
【０００９】
好適には、前記電力供給部は、前記第１電力供給線上に配置され、アノードが前記第１電源端子に接続され、カソードが前記電力出力部に設側された第１のダイオードと、前記第２電力供給線上に配置され、アノードが前記スイッチ素子と接続され、カソードが前記電力出力部に設側された第２のダイオードと、を含み、前記第１のダイオード及び前記第２のダイオードのうち、少なくとも、前記第１のダイオードの順方向の電圧は、前記電界効果トランジスタの前記第１電源端子から前記第２電力供給線に向かう順方向電圧よりも低く設定されている。
【００１０】
好適には、前記第１のダイオード及び第２のダイオードは、ショットキーバリアダイオードである。
【００１２】
好適には、充電装置による充電開始を検出した場合に、前記停止制御を解除する電源制御部を有する。
【００１３】
好適には、非接触式ＩＣカード用のアンテナを有し、前記付属モジュールは非接触式ＩＣカード用の回路である。
【発明の効果】
【００１４】
本発明によると、簡単な回路構成で、多様な回路系に必要な動作電圧が確保可能な携帯電子機器を提供することができる。
【図面の簡単な説明】
【００１５】
【図１】本発明の実施形態に係る携帯電話機の外観を開状態で示す斜視図である。
【図２】図１のＩＩ−ＩＩにおける断面図である。
【図３】図１及び図２の携帯電話機の信号処理系を示すブロック図である。
【図４】携帯電話機の各種回路系へ電力を供給する供給回路の説明図である。
【図５】第１の比較例である。
【図６】第２の比較例である。
【図７】図７は、第１の比較例と第２の比較例と、本発明の実施形態における効果をまとめた表である。
【発明を実施するための形態】
【００１６】
図１は、本発明の実施形態に係る携帯電話機１の外観を開状態で示す斜視図である。
【００１７】
携帯電話機１は、折り畳み式として構成されている。
携帯電話機１は第１筐体２及び第２筐体３とで構成されている。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１８】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１９】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２０】
また、図１のように、第２筐体フロントケース６の表面方向には、入力部１０が配置されている。この入力部１０をユーザが操作することによって、携帯電話機１に命令の入力、文字の入力等がなされる。
【００２１】
図２は、図１のＩＩ−ＩＩにおける断面図である。
【００２２】
第２筐体フロントケース６と第２筐体リアケース７とが、その内面どうしを対向させて結合している。
そして、それによって形成される内部空間に、内部筐体２０が配置されている。内部筐体２０の裏面方向には、バッテリ収納部２８が形成されている。
そして、このバッテリ収納部２８に着脱可能なバッテリ２２が配置されている。このバッテリ２２は携帯電話機１に電力を供給している。
さらに、裏面方向には、バッテリ２２を交換可能とするためにバッテリカバー２３が配置されている。
【００２３】
バッテリ２２は、充電装置７６と電気的に連結されることによって充電が行われる。
そして、バッテリ２２は充電装置７６が連結されていない場合に携帯電話機１に実装されている各種の回路系に電力を供給し、稼働させる。
携帯電話機１が充電装置７６と連結している時には、バッテリ２２の電力ではなく充電装置７６から供給される電力によって携帯電話機１は駆動される。
この充電装置７６からの電力によって携帯電話機１が駆動されるのは、バッテリ２２に充電中のみならず、バッテリ２２がフル充電状態となった後も同じである。
つまり、携帯電話機１が充電装置７６と電気的に連結している状態において、携帯電話機１の消費電力が充電装置７６の供給能力を超えない場合には、バッテリ２２は携帯電話機１に実装される各種の回路系に電力を供給することはない。
【００２４】
内部筐体２０の、表面方向には、スイッチ２６が実装されるプリント基板２１が配置されている。このプリント基板２１は、発光部２７が実装されている。
発光部２７は、例えば、ＬＥＤ（Light Emitting Diode:発光ダイオード）によって構成されている。
【００２５】
スイッチ２６は、例えば、固定接点２５と、ドーム状の板金であるメタルドーム２４により構成されている。
【００２６】
プリント基板２１の表面方向にはキーシート３２が配置されている。キーシート３２はユーザが押圧を行う部分である複数のキートップ３０と、前記複数のキートップ３０が接着されるラバーベース３１から成っている。
【００２７】
第２筐体フロントケース６には、キートップ３０が挿入（配設）されるための複数のキー開口部３５が形成されている。
このキー開口部３５の周辺には第２筐体フロントケース６を保護する目的、及び、携帯電話機１の意匠性を向上させる目的を有する装飾シート３４が張り付けられる。
【００２８】
キーシート３２とプリント基板２１のスイッチ２６との間には、導光シート３３が配置されている。
この導光シート３３は、発光部２７からの光を受光し、導光してキートップ３０側に光を照射する。
【００２９】
図２のように、バッテリカバー２３の内部側位置には非接触式ＩＣカード用のアンテナ６０が配置される。
もっとも、非接触式ＩＣカード用のアンテナ６０の位置は、携帯電話機１の非接触式ＩＣカードの想定される使用方法に応じて適宜変更可能である。たとえば、第１筐体リアケース５の内部に配置することも可能である。
また、非接触式ＩＣカードは、個人識別カード、入出管理、プリペイドカード、クレジットカードの機能等の機能を有する。
本発明において特に想定しているのは、プリペイドカード機能を有する非接触式ＩＣカードである。もっとも、この機能に限定する趣旨ではない。
【００３０】
図３は図１及び図２の携帯電話機１の信号処理系を示すブロック図である。
【００３１】
図３に示されるように、携帯電話機１は、制御・処理の中枢である制御部５７と、電源制御部５０と、通信部５１と、操作部５２と、音声入出力部５３と、表示部８と、非接触式ＩＣカード用の回路５９、記憶部５６のそれぞれが、アドレス、データ、コントロールのためのラインが複数本からなるシステムバス５８に共通に接続され、構成される。
【００３２】
パワーマネージャＩＣ７８は、携帯電話機１が携帯して使用されている場合には、携帯電話機１内の、表示部８及び制御部５７等が実装される回路基板等への電力の供給を制御している。
また、電源制御部５０は、充電時には図４に記載する充電装置７６を制御して、充電装置７６からの電力をバッテリ２２へ充電を行う。
具体的には、電源制御部５０は、充電の開始及び停止、並びに充電の速度等を制御している。
さらに、パワーマネージャＩＣ７８は、携帯電話機１に実装されている各種の回路系（ＬＥＤ、ＬＣＤ、ＣＰＵ、非接触式ＩＣカード用の回路５９等）へ、必要とする電力を提供している。
さらに、電源制御部５０は、バッテリ２２の電圧を監視し、所定の電圧以下になった場合には非接触式ＩＣカード用の回路５９以外への電力供給を停止する制御を行う。
なぜなら、非接触式ＩＣカードは、各種カード機能等の役割を有していることが多いからである。
つまり、所定の電圧以下になった場合には非接触式ＩＣカード用の回路５９以外への電力供給を停止することによって、重要な非接触式ＩＣカードの機能に優先的に電力を供給することが可能となる。
また、充電装置７６によって電力供給がなされた場合には、電力の心配はないのであるから、非接触式ＩＣカード用の回路５９以外への電力供給を停止していた停止制御を解除する。
これによって、バッテリ２２に十分な電力が充電される前に、ユーザは携帯電話機１の各種機能を使用することが可能となる。
【００３３】
通信部５１は、無線通信システムを捕捉し、通信ネットワークに接続される基地局との間で無線通信を行い、各種データの送受信を行う。各種データとは、Ｗｅｂ上のダウンロードサイトのからダウンロードされるファイルのデータ、音声通話時の音声データ、メール送受信時のメールデータ、ウェブ閲覧時のウェブページデータ、等である。
【００３４】
操作部５２は、入力部１０及びその他の部分から入力されるユーザの支持を受け付ける。
入力部１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部５７に出力する。
【００３５】
音声入出力部５３は、スピーカから出力される音声信号やマイクロフォンにおいて入力される音声信号の入出力処理を行う。
すなわち、音声入出力部５３は、マイクロフォンから入力された音声を増幅し、アナログ／デジタル変換を行い、更に符号化等の信号処理を施し、デジタルの音声データに変換して制御部５７に出力する。
また、音声入出力部５３は、制御部５７から供給される音声データに復号化、デジタル／アナログ変換、増幅等の信号処理を施し、アナログの音声信号に変換してスピーカに出力する。
【００３６】
表示部８は、例えばＬＣＤやＯＬＥＤを用いて構成されており、制御部５７から供給される映像信号に応じた画像を表示する。
表示部８は、例えば、通信部５１による無線発信時における発信先の電話番号、着信時における発信元の電話番号、受信メールや送信メールの内容、日付、時刻、電池残量、発信成否、待ち受け画面等を表示する。
さらに、表示部８は、非接触式ＩＣカードの各種状態を表示する機能を有する。たとえば、いわゆるお財布携帯機能においては、利用履歴、残高等の情報である。
【００３７】
記憶部５６では、携帯電話機１の各種処理に利用される各種データを記憶する。記憶部５６は、例えば制御部５７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
また、記憶部５６は、非接触式ＩＣカードの各種情報を記憶していてもよい。
【００３８】
非接触式ＩＣカード用の回路５９は、非接触式ＩＣカード機能を制御している。
また、非接触式ＩＣカード用の回路５９には、非接触式ＩＣカード用のアンテナ６０が電気的に連結されている。
【００３９】
制御部５７は、携帯電話機１の全体的な動作を統括的に制御する。
すなわち、制御部５７は、携帯電話機１の各種処理（回線交換網を介して行われる音声通話、電子メールの作成と送受信、インターネットのＷｅｂ上のダウンロードサイトの閲覧など）が操作部５２の操作に応じて適切な手順で実行されるように、上述した各ブロックの動作（通信部５１における信号の送受信、表示部８における画像の表示等）を制御する。
【００４０】
また、制御部５７は、非接触式ＩＣカードの各種情報を処理して表示部８に表示させる機能も有している。
【００４１】
図４は、携帯電話機１の各種回路系へ電力を供給する供給回路の説明図である。
【００４２】
図４のように、携帯電話機１の内部には、非接触式ＩＣカード用の回路５９、非接触式ＩＣカード用のアンテナ６０、ＬＤＯレギュレータ６１、第２電力供給線部６２、第１ショットキーバリアダイオード６３、第２ショットキーバリアダイオード６４、電界効果トランジスタ６５、第１電力供給線６６、第１電力供給線部６７、充電制御用トランジスタ６８、筺体側端子７２、バッテリ２２、バッテリ側端子８２及びパワーマネージャＩＣ７８が実装されている。
また、携帯電話機１の外部に設けられた充電装置７６は、交流電源７５、交流直流変換器７４及び充電装置側端子７３から構成されている。
【００４３】
第１電力供給線部６７と第２電力供給線部６２を合わせたものを第２電力供給線７７という。
また、第１ショットキーバリアダイオード６３及び第２ショットキーバリアダイオード６４の部分を電力供給部８０という。
図４のように、第１ショットキーバリアダイオード６３のカソード側と、第２ショットキーバリアダイオード６４のカソード側の接点を電力出力部８１という。
【００４４】
交流電源７５から供給された交流の電力は交流直流変換器７４によって直流に変換される。
そして、直流の電力は充電装置側端子７３を通じて携帯電話機１の筺体側端子７２から携帯電話機１に供給される。
筺体側端子７２から供給された電力は、充電制御用トランジスタ６８によってＯＮ／ＯＦＦされる。
この充電制御用トランジスタ６８のＯＮ／ＯＦＦは、電源制御部５０によって制御される。
具体的には、充電装置７６が携帯電話機１に接続された場合に充電制御用トランジスタ６８をＯＮにして、充電装置７６の電力が第１電力供給線部６７に供給されるように制御している。
そして、充電装置７６が取り外された場合には、充電制御用トランジスタ６８をＯＦＦにする。
【００４５】
第１電力供給線部６７は、パワーマネージャＩＣ７８に電力を供給するための線である。この線に電力を供給する方法として、充電装置７６から供給する方法と、バッテリ２２から供給する方法とがある。
この充電装置７６又はバッテリ２２の電力が、第１電力供給線部６７に供給される。そして、第１電力供給線部６７に接続されているパワーマネージャＩＣ７８に電力が供給される。
【００４６】
パワーマネージャＩＣ７８は、第１電力供給線部６７によって供給された電力を、携帯電話機１に実装されている各種の回路系（ＬＣＤ、ＣＰＵ、ＬＥＤ、カメラ部、通信部等）に必要な電圧等に変換して電力を供給している。
本発明では特に、非接触式ＩＣカード用の回路５９に電力を供給する。
このパワーマネージャＩＣ７８から非接触式ＩＣカード用の回路５９に供給される電力は、非接触式ＩＣカードを駆動させる為には必ずしも必要なく、後述するＬＤＯレギュレータ６１からの電力があれば、非接触式ＩＣカードの機能は発揮することが可能である。
パワーマネージャＩＣ７８からの電力が非接触式ＩＣカード用の回路５９に電力が供給されている場合には、非接触式ＩＣカードの機能に加えて、表示部８に非接触式ＩＣカードの残高情報、使用履歴等が表示可能となる。
つまり、パワーマネージャＩＣ７８からの電力は非接触式ＩＣカードの回路５９には必ずしも必須ではないが、これがあるとより高度な機能が使用可能となるということである。
【００４７】
バッテリ２２と第１電力供給線部６７との間には電界効果トランジスタ６５が実装される。
この電界効果トランジスタ６５は、携帯電話機１が充電装置７６と接続されていない場合には第１電力供給線部６７を介してパワーマネージャＩＣ７８へバッテリ２２からの電力を供給するようにＯＮされる。
また、逆に、電界効果トランジスタ６５は携帯電話機１が充電装置７６と接続させている場合にバッテリ２２に十分な電力が蓄電されていないときには、充電装置７６から電力が供給されている第１電力供給線部６７との接続をＯＮにする。
さらに、電界効果トランジスタ６５は携帯電話機１が充電装置７６と接続させている場合にバッテリ２２に十分な電力が蓄電されているときには、充電装置７６から電力が供給されている第１電力供給線部６７との接続をＯＦＦにする。
この電界効果トランジスタ６５も電源制御部５０が制御している。
【００４８】
第１電力供給線部６７とＬＤＯレギュレータ６１とを、第２電力供給線部６２が電気的に接続している。
また、バッテリ２２とＬＤＯレギュレータ６１とを、第１電力供給線６６が電気的に接続している。
ＬＤＯレギュレータ６１は、入力が変化しても一定の電圧の電力を出力する機能を有している。
それゆえ、ＬＤＯレギュレータ６１に一定程度の電力が供給される限り、非接触式ＩＣカード用の回路５９には必要とされる電圧の電力が供給される。
このＬＤＯレギュレータ６１からの電力が供給されていれば、たとえパワーマネージャＩＣ７８からの電力が供給されていなくても非接触式ＩＣカードとしての機能は発揮可能である。
【００４９】
第２電力供給線部６２上には第１電力供給線部６７側にアノードが接続されＬＤＯレギュレータ６１側にカソードが接続される第２ショットキーバリアダイオード６４が実装される。
また、第１電力供給線６６上には、バッテリ２２側にアノードが接続されＬＤＯレギュレータ６１側にカソードが接続される第１ショットキーバリアダイオード６３が実装される。
このように、第２ショットキーバリアダイオード６４があることによって、バッテリ２２の電力がＬＤＯレギュレータ６１にのみ供給が行われ、パワーマネージャＩＣ７８への供給が行われなくすることができる。
また、第１ショットキーバリアダイオード６３があることによって、充電装置７６によって供給される電力がＬＤＯレギュレータ６１にのみ供給が行われ、バッテリ２２への供給が行われなくすることができる。
なお、充電装置７６による電力が電界効果トランジスタ６５等のスイッチがない状態で接続されると、バッテリ２２の寿命を著しく短くしてしまうため、これを防ぐため第１ショットキーバリアダイオード６３が配置される。
ここで、第１ショットキーバリアダイオード６３が単なるダイオードではなくショットキーバリアダイオードとしたのは、バッテリ２２から供給される電力がＬＤＯレギュレータ６１に届くまでに電圧降下をできるだけ少なくするためである。
つまり、単なるダイオードではせっかく第１電力供給線６６を設けて電界効果トランジスタ６５を回避してＬＤＯレギュレータ６１に電力を供給しているのに、ダイオードによって大量の電圧降下があっては無意味であるからである。
【００５０】
以上の様に構成される、回路構成について図５及び図６に示される回路構成と比較しつつ説明する。
図５は、第１の比較例である。
図６は、第２の比較例である。
【００５１】
図５の回路構成は第１電力供給線６６がなくなっている。この場合、充電装置７６からの電源供給がある場合にはパワーマネージャＩＣ７８及びＬＤＯレギュレータ６１には十分な電力が供給されているために問題は生じない。
一方、充電装置７６が接続されていない場合であってもバッテリ２２に十分な電力が蓄えられている場合にも同様に問題は生じない。
他方、充電装置７６が接続されてない場合であって、かつ、バッテリ２２に十分な電力が蓄電されていない場合には、問題が生ずる。
この場合、バッテリ２２に十分な電力が蓄電されていないときには、パワーマネージャＩＣ７８は各種回路系及び非接触式ＩＣカード用の回路５９への電力供給を停止する。さらに、電源制御部５０は電界効果トランジスタ６５をＯＦＦする。
その状態においてもバッテリ２２に一定程度の電力の間には、電界効果トランジスタ６５がＯＦＦされても、電界効果トランジスタはその構造上、寄生ダイオード７９を有しているのと同じ状態となっているので、０．６Ｖ程度の電圧降下をおこすものの第１電力供給線部６７に依然として電力供給化可能である。そしてその電力は、ＬＤＯレギュレータ５を介して非接触式ＩＣカード用の回路５９に供給することが可能である。
しかし、バッテリ２２の電力がさらに消費されて、０．６Ｖの電圧降下があると、非接触式ＩＣカード用の回路に必要な電力が供給されなくなると、非接触式ＩＣカード機能は使用できなくなってしまう。
つまり、０．６Ｖの電力低下があることによって、バッテリにはまだ０．６Ｖ分電力の余裕があるにもかかわらず、非接触式ＩＣカード機能を使用できなくなってしまう。
非接触式ＩＣカードの機能は極めて重要な機能を発揮する場合が多く、出来るだけ長い時間使用可能とすることが望ましいのであるから、このような事態は望ましくない。
【００５２】
そこで本発明では、図４のように、第１電力供給線６６を用いて、電界効果トランジスタ６５を経由せずにＬＤＯレギュレータ６１に電力を供給している。
このようにしたことによって、バッテリ２２の蓄電量が低下して電圧が低下しても限界まで、非接触式ＩＣカードの機能を使用可能となる。
【００５３】
なお、電界効果トランジスタ６５を除去すればこの問題は解決することができそうであるが、今度は別の問題が生ずる。
それは、電界効果トランジスタ６５がないと、充電装置７６によって充電が行われている時に、電力がいっぱいになってフル充電となっている時はよいが、その後、バッテリ２２から電力が少しでも減ると即座に充電装置７６から電力が供給されて充電状態となってしまう。
このことは、多数回充電が少しずつ行われることを意味する。そして、このような充電を行うとバッテリ２２が極めて早く傷んでしまうということになる。
それゆえ、バッテリ２２と第１電力供給線部６７との間には、電界効果トランジスタ６５を設けて充電回数が増えすぎないように制御する必要がある。
なお、この制御は電源制御部５０が行っている。
したがって、電界効果トランジスタ６５を除去することはできない。
【００５４】
次に、図６の回路構成とすれば、電界効果トランジスタ６５による電圧の低下なくＬＤＯレギュレータ６１にバッテリ２２の電圧を供給できそうに思える。
しかし、充電装置７６が装着されている状態でバッテリ２２が除去されると問題が生ずる。
まず、充電装置７６によって第１電力供給線部６７には電力が供給され、第１電力供給線部６７によってパワーマネージャＩＣ７８には電力が供給される。
そして、パワーマネージャＩＣ７８は非接触式ＩＣカード用の回路５９及び各種の回路系に電力を供給する。
つまり、非接触式ＩＣカード用の回路５９はパワーマネージャＩＣからの電力は供給されている。
しかし、電源制御部５０はバッテリ２２が除去されると、自動的に電界効果トランジスタ６５をＯＦＦする。
そうすると、バッテリ２２から電力が供給されないＬＤＯレギュレータ６１からの電力供給は、非接触式ＩＣカードの回路５９には供給されない。
すると、非接触式ＩＣカード用の回路５９には、パワーマネージャＩＣからの電力は供給されているにも関わらず、ＬＤＯレギュレータ６１からの電力供給はなされない。つまり不整合が生ずる。
そうすると、非接触式ＩＣカードの回路は駆動されることはない上に、このような不整合は非接触式ＩＣカード用の回路５９のＩＣ等にダメージを与えてしまう。
そこで、本発明においては、図４のように、第２電力供給線部６２を設けている。
【００５５】
以下、図４の本発明における動作を説明する。
充電時、つまり充電装置７６から電力が供給されている場合は、充電制御用トランジスタ６８がＯＮされ、充電装置７６から第１電力供給線部６７に電力が供給される。
そして第１電力供給線部６７に接続されているパワーマネージャＩＣ７８にも電力が供給される。そして、パワーマネージャＩＣ７８は、各種回路系及び非接触式ＩＣカード用の回路５９に電力を供給する。
また、第１電力供給線部６７は、第２電力供給線部６２とも接続されているのであるから、ＬＤＯレギュレータ６１にも、充電装置７６からの電力は供給される。
さらに、バッテリ２２がフル充電ではない場合には、電界効果トランジスタ６５が電源制御部５０によってＯＮされて第１電力供給線部６７と電気的に接続される。このことによって、バッテリ２２は充電装置７６によって充電される。そして、バッテリ２２がフル充電状態になると電界効果トランジスタ６５が電源制御部５０によってＯＦＦされる。
なお、バッテリ２２の電圧は、充電装置７６の電圧よりも低いのであるから、充電装置７６からの第２電力供給線部６２と、バッテリ２２からの第１電力供給線６６とでは、第２電力供給線部６２が優先される。
それゆえに、充電装置７６が接続されている場合には、バッテリ２２の電力は使用されない。
この状態においては、携帯電話機１は非接触式ＩＣカード機能及びその残高等の付加機能、並びに他の携帯電話機１の全ての機能を使用可能である。
【００５６】
次に、充電装置７６が除去されているが、バッテリ容量が十分である場合について記載する。
まず、電界効果トランジスタ６５が電源制御部５０によってＯＮされ、第１電力供給線部６７に電力が供給される。そして、パワーマネージャＩＣ７８にもバッテリ２２からの電力が供給される。パワーマネージャＩＣ７８は、各種回路系及び非接触式ＩＣカード用の回路５９に電力を供給する。
また、第１電力供給線６６を通って、バッテリ２２の電力はＬＤＯレギュレータ６１に供給される。
なお、第２電力供給線部６２経由ではバッテリ２２の電力はＬＤＯレギュレータ６１に供給されることはない。なぜなら、第２電力供給線部６２からの電力は、電界効果トランジスタ６５を経由しているために、第１電力供給線６６を経由した電力よりも電圧が低いからである。
この状態においては、携帯電話機１は非接触式ＩＣカード機能及びその残高等の付加機能、並びに他の携帯電話機１の全ての機能を使用可能である。
【００５７】
最後に、充電装置７６が除去されているが、バッテリ容量が低下した場合について記載する。
この場合には、電源制御部５０は電界効果トランジスタ６５をＯＦＦにする。
そうすると、バッテリ２２の電力が第１電力供給線部６７及びパワーマネージャＩＣ７８には供給されなくなる。
すると、パワーマネージャＩＣ７８から非接触式ＩＣカード用の回路５９に電力が供給されないのであるから、非接触式ＩＣカードの機能のうち付加的な機能である残高照会、使用履歴等は使用できなくなる。
一方、ＬＤＯレギュレータ６１には第１電力供給線６６から電力が供給されるのであるから、ＬＤＯレギュレータ６１経由の電力は非接触式ＩＣカード用の回路５９に供給される。
それによって、非接触式ＩＣカードの機能は引き続き使用可能となる。
この状態においては、バッテリ２２からの電力は非接触式ＩＣカード用の回路５９にのみ供給されるのであるから、バッテリ２２の電池残量が節約され、より長い時間、非接触式ＩＣカード機能を使用することが可能となる。
なお、第１電力供給線６６上に実装されているのは、第１ショットキーバリアダイオード６３であるから電圧効果が少なく、より長い期間、非接触式ＩＣカード用の回路５９に適切な電力を供給し続けることができる。
【００５８】
以上のような構成によって、簡単な構成で、回路系を構成する各種電気部品を保護しつつ非接触式ＩＣカード用の回路５９に必要な電力を供給することができる。
また、バッテリ２２の電圧が低下しても非接触式ＩＣカード用の回路５９に電力を供給することができる。
さらに、充電中にバッテリ２２が外された場合であっても非接触式ＩＣカード用の回路５９への過電圧を防ぐことができる。
【００５９】
図７は、第１の比較例と第２の比較例と、本発明の実施形態における効果をまとめた表である。
【００６０】
図７（ａ）は電源をＯＦＦした状態においても非接触式ＩＣカード機能が使用可能であるかを表した表である。
また、図７（ｂ）は、非接触式ＩＣカード用の回路５９のＩＣにダメージを与えるかどうかを表した表である。
【００６１】
非接触式ＩＣカードが使用できるかの観点から説明する。
図７（ａ）の（１）について説明する。
図７（ａ）の（１）は、バッテリ２２が装着されており、かつ、充電装置７６が装着されている状態である。
このとき、第１の比較例（図５）の回路では、バッテリ２２の電圧が十分な状態（４．２Ｖ〜３．３Ｖ）の間であっても、それ以下（３．３Ｖ以下）であっても同様に動作可能である。
一方、第２の比較例（図６）の回路では、バッテリ２２の電圧が十分な状態（４．２Ｖ〜３．３Ｖ）であれば動作可能であるが、バッテリ２２の電圧が不十分な状態（３．３Ｖ以下）のときには、動作できない。
つまり、パワーマネージャＩＣ７８経由での非接触式ＩＣカードの回路５９への電力供給が十分に行われていても、バッテリ２２の容量が低下してＬＤＯレギュレータ６１経由での非接触式ＩＣカードの回路５９への電力供給が不十分となると、非接触式ＩＣカード用の回路５９が稼働できなくなる。
もっとも、ＬＤＯレギュレータ６１経由での非接触式ＩＣカードの回路５９への電力供給が不十分となるまでは、非接触式ＩＣカード機能を使用することは可能である。
したがって、第２の比較例は三角印となっている。
他方、本発明の実施形態ではどの状態においても使用可能であるから丸印となっている。
【００６２】
図７（ａ）の（２）は、バッテリ２２が装着されているが、充電装置７６が装着されてない状態である。
この状態において、第１の比較例（図５）の回路では、バッテリ２２の電圧が十分な状態（４．２Ｖ〜３．３Ｖ）では、非接触式ＩＣカードへ十分な電力が共有されており、動作可能である。
しかし、それ以下の状態（３．３Ｖ以下）では、電界効果トランジスタ６５によって電圧が降下した電力がパワーマネージャＩＣ７８及びＬＤＯレギュレータ６１の両者に提供されるのであるから使用不可能となってしまう。
一方、第２の比較例（図６）の回路では、バッテリ２２に十分な電力がある状態（４．２〜３．３Ｖ）では、非接触式ＩＣカード機能を使用可能であるが、バッテリ２２の電力が低下した状態（３．３Ｖ以下）である場合には、非接触式ＩＣカードの全ての機能は使用できない。
つまり、パワーマネージャＩＣ７８へは電界効果トランジスタ６５を介して電力が供給される。そうすると、電圧降下された電圧がパワーマネージャＩＣ７８に供給されるのであるから、パワーマネージャＩＣ７８から非接触式ＩＣカード用の回路５９への電力供給はなされない。
しかし、バッテリ２２からはＬＤＯレギュレータ６１経由で非接触式ＩＣカード用の回路５９へ電力供給が可能である。
そうすると、非接触式のＩＣカードの拡張的な機能（残高照会、使用履歴の照会等）は使用できないが非接触式ＩＣカードとしての最低限の機能は使用できる。
それゆえ、三角印としている。
なお、第２の比較例の構成であっても、バッテリ２２の電圧がさらに下がると非接触式ＩＣカードとしての最低限の機能をも使用不可能となることは言うまでもない。
第２の比較例と本発明の実施形態は、全く同じ動作を行うのであるから、第２の比較例と同じである。それゆえ、同じく三角印としている。
【００６３】
図７（ａ）の（３）は、バッテリ２２が装着されていないが、充電装置７６が装着されている状態である。
第１の比較例と本発明の実施形態では、外部電源である充電装置７６が装着されている場合には、非接触式ＩＣカードの全ての機能が使用可能である。
しかし、第２の比較例では、バッテリ２２が外されてしまうと、ＬＤＯレギュレータ経由の電力は非接触式ＩＣカードの回路５９には供給されないのであるから、非接触式ＩＣカードの機能は一切使用が出来なくなってしまう。
それゆえ、バツ印が記載されている。
【００６４】
図７（ａ）の（４）は、バッテリ２２も装着されておらず、充電装置７６も装着されていない状態である。
この状態においては、本発明の実施形態、第１の比較例及び第２の比較例のいずれの回路構成であっても一切使用不可能である。
したがって、比較できない。
【００６５】
非接触式ＩＣカードのＩＣに不整合が生ずるかの観点から説明する。
図７（ｂ）の（５）について説明する。
図７（ｂ）の（５）は、バッテリ２２が装着されており、かつ、充電装置７６が装着されている状態である。
このとき、第１の比較例（図５）の回路では、バッテリ２２の電圧が十分な状態（４．２Ｖ〜３．３Ｖ）の間であっても、それ以下（３．３Ｖ以下）であっても同様に動作可能である。それゆえ丸印である。
一方、第２の比較例（図６）の回路では、第２の比較例（図６）の回路では、バッテリ２２の電圧が十分な状態（４．２Ｖ〜３．３Ｖ）であれば動作可能であるが、バッテリ２２の電圧が不十分な状態（３．３Ｖ以下）のときには、動作できない。
つまり、パワーマネージャＩＣ７８経由での非接触式ＩＣカードの回路５９への電力供給はバッテリ２２の電圧がどれほど低下しても行われる。
しかし、バッテリ２２の容量が低下すると、ＬＤＯレギュレータ６１経由での非接触式ＩＣカードの回路５９への電力供給ができなくなる。
そうすると、非接触式ＩＣカード用の回路５９のＩＣに不整合が生じる。
もっとも、バッテリ２２の容量がまだあり、ＬＤＯレギュレータ６１経由での非接触式ＩＣカードの回路５９への電力供給ができなくなるまでは、非接触式ＩＣカードの機能は使用可能である。
したがって、三角印となっている。
他方、本発明の実施形態ではどの状態においても使用可能であるから丸印となっている。
【００６６】
図７（ｂ）の（６）は、バッテリ２２が装着されているが、充電装置７６が装着されてない状態である。
充電装置７６が装着されていない場合には、本発明の実施形態、第１の比較例及び第２の比較例のいずれでも、不整合は生じない。
したがって、いずれも丸印である。
【００６７】
図７（ｂ）の（７）はバッテリ２２が装着されていないが、充電装置７６が装着されている状態である。
第１の比較例と本発明の実施形態では、外部電源である充電装置７６が装着されている場合には、非接触式ＩＣカードの回路への不整合は生じえない。
しかし、第２の比較例では、バッテリ２２が外されてしまうと、ＬＤＯレギュレータ経由の電力は非接触式ＩＣカードの回路５９には供給されないのであるから、非接触式ＩＣカードの回路５９に不整合が生じている。
それゆえ、バツ印が記載されている。
【００６８】
図７（ｂ）の（８）は、バッテリ２２も装着されておらず、充電装置７６も装着されていない状態である。
この状態においては、本発明の実施形態、第１の比較例及び第２の比較例のいずれの回路構成であっても一切使用不可能である。
したがって、比較できない。
【００６９】
以上の実施形態によれば、本発明の携帯電話機１は、非接触式ＩＣカード用の回路５９と、を有している。
また、内部電源であるバッテリ２２からの電力を非接触式ＩＣカード用の回路５９に供給可能な第１電力供給線６６からの電力と、外部電源である充電装置７６からの電力を非接触式ＩＣカード用の回路５９に供給可能な第２電力供給線７７からの電力と、のいずれかの電力を非接触式ＩＣカード用の回路５９に供給する電力供給部８０と、を有している。
さらに、バッテリ２２からの電力供給又は充電装置７６の一方からの電力が低下又は停止しても、他方から非接触式ＩＣカード用の回路５９に電力を供給可能である。
このような構成としたことによって、バッテリ２２の電圧が低下しても非接触式ＩＣカード用の回路に電力を供給することができる。
【００７０】
第１電力供給線６６の一端と接続し、バッテリ２２と接続可能な第１電源端子８２と、第２電力供給線７７の一端と接続し、充電装置７６と接続可能な第２電源端子７２と、第２電力供給線７７から、電力を受けて回路系への電力供給を制御する電力制御部７８と、を有している。
また、第１電力供給線６６の一端部と第２電力供給線７７の一端部との間に接続され、第１電源端子８２にバッテリが接続状態の場合に、ＯＮ状態に保持され、非接続状態の場合にＯＦＦ状態に保持される電界効果トランジスタ６５と、を有している。
そして、第１電源端子８２を介して設定される第１電力供給線６６における第１電力と、第２電力供給線７７から設定される第２電力とのうち高い電圧の電力を、電力出力部を介して非接触式ＩＣカード用の回路５９に供給する電力供給手段に該当する電力供給部８０と、を有している。
このような構成によって、バッテリ２２の電圧が低下しても非接触式ＩＣカード用の回路に電力を供給することができる。
さらに、充電中にバッテリ２２が外された場合であっても非接触式ＩＣカード用の回路５９への過電圧を防ぐことができる。
【００７１】
第２電力供給線７７の一端部と第２電源端子７２との間に接続され、筺体側端子７２に充電装置７６が接続状態の場合にＯＮ状態に保持され、非接続状態の場合にＯＦＦ状態に保持される充電制御用トランジスタ６８と、を有している。
このような構成によって、充電装置７６が接続された時に自動的に充電及び携帯電話機１への電力供給が行われる。
【００７２】
前記電力供給部８０は、第１電力供給線６６上に配置され、アノードがバッテリ側端子８２に接続され、カソードが電力出力部８１に設側された第１ショットキーバリアダイオード６３と、第２電力供給線上７７に配置され、アノードが充電制御用トランジスタ６８と接続され、カソードが電力出力部８１に設側された第２ショットキーバリアダイオード６４と、を含んでいる。
そして、第１ショットキーバリアダイオード６３及び第２ショットキーバリアダイオード６４のうち、少なくとも、第１ショットキーバリアダイオード６３の順方向の電圧は、電界効果トランジスタ６５のバッテリ側端子８２から第２電力供給線７７に向かう順方向電圧よりも低く設定されている。
このような構成によって、非接触式ＩＣカード用の回路５９にバッテリ２２又は充電装置７６からの電力を選択的に供給することができる上に、バッテリ２２からの電力の電圧低下を防ぐことができる。
【００７３】
第１のダイオード６３及び第２のダイオード６４は、ショットキーバリアダイオードである。
このような構成によって、バッテリ２２からの電力の電圧低下を防ぐことができる。
【００７４】
バッテリ２２の電圧を監視し所定の電圧以下になった場合に、非接触式ＩＣカード用の回路５９以外への電力供給を停止する停止制御を行う電源制御部５０を有する。
このような構成によって、バッテリ２２の充電量が低下しても特に重要な非接触式ＩＣカードの機能をより長く使用可能とすることができる。
【００７５】
充電装置７６による充電開始を検出した場合に、前記停止制御を解除する電源制御部５０を有する。
このような構成によって、充電装置７６が接続されたときには、たとえバッテリ２２がない状態であっても、バッテリ２２が放電した状態であっても携帯電話機１の全機能をユーザは使用可能となる。
【００７６】
非接触式ＩＣカード用のアンテナ６０を有し、付属モジュール５９は非接触式ＩＣカード用の回路５９である。
このような構成によって、バッテリ２２の充電量が低下しても特に重要な非接触式ＩＣカードの機能をより長く使用可能とすることができる。
【００７７】
本発明は、以上の実施形態に限定されず、種々の態様で実施されてよい。
【００７８】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
また、本発明の付属モジュールは、非接触式ＩＣカード用の回路５９に限定されるものではない。例えば、時計機能、テレビジョンの機能、ＧＰＳ機能、音楽再生機能等の回路系であってもよい。
【符号の説明】
【００７９】
１…携帯電話機、２…第１筐体、３…第２筐体、４…第１筐体フロントケース、５…第１筐体リアケース、６…第２筐体フロントケース、７…第２筐体リアケース、８…表示部、９…ヒンジ部、１０…入力部、１１…右側面、１２…左側面、２０…内部筐体、２１…プリント基板、２２…バッテリ、２３…バッテリカバー、２４…メタルドーム、２５…固定接点、２６…スイッチ、２７…発光部、２８…バッテリ収納部、３０…キートップ、３１…ラバーベース、３２…キーシート、３３…導光シート、３４…装飾シート、３５…キー開口部、５０…電源制御部、５１…通信部、５２…操作部、５３…音声入出力部、５５…撮像部、５６…記憶部、５７…制御部、５９…非接触式ＩＣカード用の回路、６０…非接触式ＩＣカード用のアンテナ、６１…ＬＤＯレギュレータ、６２…第２電力供給線部、６３…第１ショットキーバリアダイオード（第１のダイオード）、６４…第２ショットキーバリアダイオード（第２のダイオード）、６５…電界効果トランジスタ、６６…第１電力供給線、６７…第１電力供給線部、６８…充電制御用トランジスタ（スイッチ素子）、７２…筺体側端子（第２電源端子）、７３…充電装置側端子、７４…交流直流変換器、７５…交流電源、７６…充電装置、７７…第２電力供給線、７８…パワーマネージャＩＣ（電力制御部）、７９…寄生ダイオード、８０…電力供給部（電力供給手段）、８１…電力出力部、８２…バッテリ側端子（第１電源端子）
【図１】
0005433350.tif 000002
【図２】
0005433350.tif 000003
【図３】
0005433350.tif 000004
【図４】
0005433350.tif 000005
【図５】
0005433350.tif 000006
【図６】
0005433350.tif 000007
【図７】
0005433350.tif 000008